【手続補正書】
【提出日】平成20年12月18日(2008.12.18)
【手続補正１】
【補正対象書類名】特許請求の範囲
【補正対象項目名】全文
【補正方法】変更
【補正の内容】
【特許請求の範囲】
【請求項１】
Ａ）（１）化学量論過剰の少なくとも１種のジイソシアネートと、
（２）（ｉ）（ａ）少なくとも１５００Ｄａの分子量を有し、０．０３meq/gまたはそれ以下の平均不飽和度を有する少なくとも１種のポリオキシプロピレンジオール約２５当量％〜約７５当量％、および
（ｂ）約６００Ｄａ〜約６０００Ｄａの分子量を有する少なくとも１種のポリテトラメチレンエーテルグリコール約２５当量％〜約７５当量％
を含んでなるジオール成分、ならびに
（ｉｉ）任意の、イソシアネート基と反応性である少なくとも１つの官能基を有する１種またはそれ以上の他の物質を、（ｉ）および（ｉｉ）の当量％の合計が１００当量％になるように、含んでなるイソシアネート反応性成分との反応生成物である、
約２．２５％〜約４％の遊離イソシアネート基含量を有するイソシアネート末端プレポリマーを、
Ｂ）（１）少なくとも１種の非対称脂肪族および／または脂環式ジアミン（Ｂ）の合計当量に基づいて）２５〜約７５当量％、および
（２）少なくとも１種の直鎖ジアミン
を含んでなるジアミン連鎖延長剤と、
Ｃ）溶媒の存在下で、
溶液反応させることによって製造されるセグメント化ポリウレタン／ウレア。
【請求項２】
請求項１のポリウレタン／ウレアから紡糸されたスパンデックス繊維。
【請求項３】
Ａ）（１）化学量論過剰のジイソシアネートと、
（２）（ｉ）（ａ）１５００Ｄａを超える分子量を有し、０．０３meq/g未満の平均不飽和度を有する少なくとも１種のポリオキシプロピレンジオール約２５当量％〜約７５当量％、および
（ｂ）少なくとも約６００Ｄａの分子量を有する少なくとも１種のポリテトラメチレンエーテルグリコール約２５当量％〜約７５当量％
を含んでなるジオール成分、ならびに
（ｉｉ）任意の、イソシアネート基と反応性である少なくとも１つの官能基を有する１種またはそれ以上の他の物質を、（ｉ）および（ｉｉ）の当量％の合計が１００当量％になるように、含んでなるイソシアネート反応性成分との
反応生成物であり、約２．２５〜約４％の遊離イソシアネート基含量を有するイソシアネート末端プレポリマーと、
Ｂ）（１）非対称脂肪族および／または脂環式ジアミン（Ｂ）の合計当量に基づいて）２５〜約７５当量％、および
（２）少なくとも１種の直鎖ジアミン
を含んでなるジアミン連鎖延長剤との
Ｃ）溶媒
中での反応生成物であるポリウレタン／ウレアを紡糸することを含んでなるスパンデックス繊維の製造方法。
【手続補正２】
【補正対象書類名】明細書
【補正対象項目名】０００４
【補正方法】変更
【補正の内容】
【０００４】
スパンデックスは、温不活性ガス、例えば空気、窒素または蒸気で充填されたカラムにまたは水性浴において、ポリウレタン溶液を、反応紡糸、溶融紡糸、乾式紡糸または湿式紡糸して、溶媒を除き、繊維を巻きとることによって、通常調製される。乾式紡糸は、ポリマー溶液を、紡績口金を通してシャフトに押し入れ、フィラメントを形成する方法である。加熱不活性ガスを、反応槽に流し、フィラメントがシャフトを通過する際に、フィラメントから溶媒を蒸発させる。得られたスパンデックスを、円筒状芯に巻き付けて、スパンデックス供給パッケージを形成することができる。
【手続補正３】
【補正対象書類名】明細書
【補正対象項目名】０００７
【補正方法】変更
【補正の内容】
【０００７】
スパンデックスを製造するために使用される市販の好ましいポリマージオールは、ポリテトラメチレンエーテルグリコール（ＰＴＭＥＧ）である。ＰＴＭＥＧは、室温で固体であり、極めて高い粘度を有するプレポリマー、特にジフェニルメタンジイソシアネート（「ＭＤＩ」）プレポリマーを製造する。
【手続補正４】
【補正対象書類名】明細書
【補正対象項目名】００１５
【補正方法】変更
【補正の内容】
【００１５】
スパンデックスおよびスパンデックス含有繊維および衣類は、良好な寸法安定性を有する繊維および繊維製品を提供し、仕上げ衣服に整形するために、通常、ヒートセットされる。しかしながら、ヒートセットには欠点がある。ヒートセットは、スパンデックスを含有するニットの弾性繊維製品を仕上げするために余分なコストがかかる。さらに、一般なスパンデックスヒートセット温度は、敏感な対の糸、例えばウール、綿、ポリプロピレンおよび絹に悪影響を与えることがあり、それによって、より費用のかかる工程を要求する。また、熱に敏感な糸、例えばポリアクリルニトリル、ウールおよびアセテートからできた糸は、スパンデックスのヒートセット工程に使用できない。なぜなら、高いヒートセット温度が、そのような熱に敏感な糸に悪影響を与えるからである。
【手続補正５】
【補正対象書類名】明細書
【補正対象項目名】００１７
【補正方法】変更
【補正の内容】
【００１７】
さまざまな方法が、スパンデックスのヒートセット効率を向上させ、それによってスパンデックスがヒートセットできる温度を低下させるために使用されてきた。例えば、ＵＳ特許5,539,037は、ヒートセット効率を上昇させるために、スパンデックス中に低い濃度のアルカリ金属カルボキシレートおよびチオシアネートを使用することを開示している。しかしながら、そのような塩は、繊維の処理工程で容易に溶解され、それによってその効果が低下する。
【手続補正６】
【補正対象書類名】明細書
【補正対象項目名】００１８
【補正方法】変更
【補正の内容】
【００１８】
ＵＳ特許6,403,682 B1は、スパンデックスが４級アミン添加剤を含有する、改良されたヒートセット効率を有するスパンデックスを開示している。しかしながら、報告されたすべてのヒートセット試験が、１９０℃で行われ、１９０℃は、スパンデックスが、綿繊維にダメージを与えることなしに、綿と共にヒートセットできる温度よりかなり高い。
【手続補正７】
【補正対象書類名】明細書
【補正対象項目名】００２１
【補正方法】変更
【補正の内容】
【００２１】
これらの特許文献の中に、コエキステンダー（共連鎖延長剤）を、ポリテトラメチレンエーテルグリコールおよび極端に低い不飽和ポリオキシプロピレンジオールとのブレンドに使用することを開示しているものはない。さらに、過剰量のコエキスデンターは、場合によって、過度に粘着性となり、スプールからのスムーズな離脱が困難になる。過剰量のコエキステンダーは、繊維の製造およびセット操作の間に接触するアルコール、染料、漂白剤および他の化学物質に対する繊維の耐薬品性も低下させることがある。
【手続補正８】
【補正対象書類名】明細書
【補正対象項目名】００２２
【補正方法】変更
【補正の内容】
【００２２】
さまざまな種類のスパンデックスポリマーの調製における鎖延長工程のためのジアミンの混合物の使用は、既知である。
とりわけ、ＵＳ特許2,929,803（Frazerら）、ＵＳ特許3,507,834（Wittbecker）、ＵＳ特許3,549,596（McMillin）およびＵＳ特許6,737,497（Lawreyら）は、それぞれ、連鎖延長剤の混合物を、スパンデックス繊維を製造する際に使用してよいことを開示している。ＵＳ特許4,973,647（Bretchら）は、ＰＴＭＥＧでスパンデックスを製造する際に、コエキステンダーとしての２−メチル−１，５−ペンタンジアミン１５〜３２モル％の使用を開示している。
【手続補正９】
【補正対象書類名】明細書
【補正対象項目名】００２５
【補正方法】変更
【補正の内容】
【００２５】
さらに、既知な有利な特性に加えて、低温でのヒートセット効率がよく、同時にバランスよく他の物理的性質を備えた新規な改良されたポリエーテル系スパンデックス糸に対する要求が、商業的に存在していた。
【特許文献１】ＵＳ特許3,180,854
【特許文献２】ＵＳ特許5,340,902
【特許文献３】ＵＳ特許5,691,441
【特許文献４】ＵＳ特許5,539,037
【特許文献５】ＵＳ特許6,403,682 B1
【特許文献６】ＵＳ特許5,981,686
【特許文献７】ＵＳ特許5,000,899
【特許文献８】ＵＳ特許5,948,875
【特許文献９】ＵＳ特許2,929,803
【特許文献１０】ＵＳ特許3,507,834
【特許文献１１】ＵＳ特許3,549,596
【特許文献１２】ＵＳ特許6,737,497
【特許文献１３】ＵＳ特許4,973,647
【特許文献１４】ＵＳ特許6,472,494 B2
【特許文献１５】ＵＳ特許6,639,041 B2
【手続補正１０】
【補正対象書類名】明細書
【補正対象項目名】００３０
【補正方法】変更
【補正の内容】
【００３０】
本発明の重要な特徴は、イソシアネート末端プレポリマーを鎖延長させるために、少なくとも１種の非対称脂肪族および／または脂環式ジアミンと、少なくとも１種の直鎖ジアミンとを含んでなる連鎖延長剤成分を使用することである。脂肪族および／または脂環式ジアミンは、連鎖延長剤成分の合計当量に基づいて２５〜約７５当量％の量で、好ましくは約３０〜約７０当量％、最も好ましくは約３５〜約６５当量％の量で存在すべきである。直鎖ジアミンは、通常、（連鎖延長剤成分の合計当量に基づいて）約２５〜７５当量％、好ましくは約３０〜約７０当量％、最も好ましくは約３５当量％〜約６５当量％の量で使用される。
【手続補正１１】
【補正対象書類名】明細書
【補正対象項目名】００３１
【補正方法】変更
【補正の内容】
【００３１】
適した非対称脂肪族および／または脂環式連鎖延長剤の例としては、イソホロンジアミン、１，２−ジアミノプロパン、メチル−１，３−ジアミノシクロヘキサン、１，３−ジアミノシクロヘキサン、２−メチルペンタメチレンジアミン（Dytek AとしてDupontから市販）、１，４−ジアミノ−２−メチルピペラジン、１，４−ジアミノ−２，５−ジメチルピペラジンおよびメチルビス−プロピルアミンが挙げられる。
適した直鎖アミン連鎖延長剤の例としては、エチレンジアミン、ヒドラジン、１，３−プロピレンジアミンおよびテトラメチレンジアミンが挙げられる。エチレンジアミンが最も好ましい。
【手続補正１２】
【補正対象書類名】明細書
【補正対象項目名】００３２
【補正方法】変更
【補正の内容】
【００３２】
既知のあらゆる脂肪族および／または芳香族ジイソシアネートは、本発明で使用されるイソシアネート末端プレポリマーを製造するために使用されうる。好ましいイソシアネートとしては、直鎖脂肪族イソシアネート、例えば１，２−エチレンジイソシアネート、１，３−プロピレンジイソシアネート、１，４−ブチレンジイソシアネート、１，６−ヘキシレンジイソシアネート、１，８−オクチレンジイソシアネート、１，５−ジイソシアナト−２，２，４−トリメチルペンタン、３−オキソ−１，５−ペンタンジイソシアネートなど；脂環式ジイソシアネート、例えばイソホロンジイソシアネート、シクロヘキサンジイソシアネート、好ましくは１，４−シクロヘキサンジイソシアネート、完全水素化芳香族ジイソシアネート、例えば水素化テトラメチルキシレンジイソシアネート、水素化トルエンジイソシアネートおよび水素化メチレンジフェニレンジイソシアネート並びに芳香族ジイソシアネート、例えばトルエンジイソシアネート、特に２，４−異性体、メチレンジフェニレンジイソシアネート、特に４，４’−メチレンジフェニレンジイソシアネート（４，４’−ＭＤＩ）、テトラメチルキシリレンジイソシアネートなどである。４，４’−ＭＤＩが特に好ましい。